(57)【要約】      （修正有）【課題】農業ないし施設園芸に適用されるパイプハウスに関し、簡易構造でありながら、台風などの強風にも耐えられる構造を実現する。【解決手段】パイプハウスの側面ＡＢにおいて、一定ピッチで骨組用の支柱２を地中に立てておき、少なくとも妻面側ＣＤの端部支柱４は、前記の支柱ピッチの１／３以下の狭い支柱ピッチにすると共に、地中において支柱下端同士を水平板で互いに連結してある。また、峰部と前記の側面の支柱２の地上部の根元側との間にワイヤーを張設できるように、前記の峰部と側面支柱２の根元側にワイヤーの連結手段を設けて、台風時には、ワイヤーＷ２で補強する。【選択図】図１
2005287477.tif 000002
【特許請求の範囲】
【請求項１】
パイプハウスの側面において、一定ピッチで骨組用の支柱を地中に立てておき、少なくとも妻面側の端部支柱は、前記の支柱ピッチの１／３以下の狭い支柱ピッチにすると共に、地中において支柱下端同士を水平板で互いに連結してあることを特徴とする耐風性パイプハウス。
【請求項２】
妻面側の支柱のうち、少なくとも側面寄りの支柱の下端と、側面側の支柱のうち妻面に面する支柱の下端とを、地中において水平板で互いに連結してあることを特徴とする請求項１に記載の耐風性パイプハウス。
【請求項３】
前記のパイプハウスにおいて、少なくとも峰部と前記の側面の支柱の地上部の根元側との間にワイヤーを張設できるように、前記の峰部と側面支柱の根元側にワイヤーの連結手段を設けてあることを特徴とする請求項１または請求項２に記載の耐風性パイプハウス。
【請求項４】
前記のパイプハウスの峰部の高さを３ｍ未満にしてあることを特徴とする請求項１、請求項２または請求項３に記載の耐風性パイプハウス。
【請求項５】
施設園芸などに適するパイプハウスにおいて、台風などの強風が襲来する際は、少なくとも峰部と側面支柱の根元側との間にワイヤーを張設して補強しておき、強風が去ったら、ハウス内における作業の邪魔にならないように、前記の補強ワイヤーを退避させることを特徴とする耐風性パイプハウスにおける強風対策方法。
【発明の詳細な説明】
【技術分野】
【０００１】本発明は、農業ないし施設園芸に適用されるパイプハウスに関し、簡易構造でありながら、台風などの強風にも耐えられる構造を実現する。
【背景技術】
【０００２】施設園芸用のハウスにおいて、台風などにも耐えられるようにためには、鉄骨で主要骨組を構成すると共に、コンクリート基礎構造とすることが一般的であるが、施工にも重機を要し、長期間を要するため、コスト高となることが普及を妨げている。また、解体や移設なども極めて困難である。これに対し、パイプ構造のハウスは、パイプで形成される簡易構造であり、基礎工事その他の施工も簡易であり、結果的に低コストで実現できるが、台風などに弱いことが欠点である。【０００３】このような事情から、簡易構造のパイプハウスにおいて、可能な限り耐風性を高めるべく、種々の改良が重ねられており、例えば特開２００３−２５９７４２号公報に記載のように、パイプ製支柱の下端に水平板を固定すると共に支柱の側面に半径方向の羽根板を固定し、地中に掘った鉛直孔の中に挿入して埋め込み、この支柱をパイプハウスの支柱とすることが提案されている。一方、パイプハウスの地上部の構造については、筋交いやワイヤーを用いて補強したり、補強材を多用するなどの手法で耐風性を高めるのが一般的である。
【特許文献１】特開２００３−２５９７４２
【発明の開示】
【発明が解決しようとする課題】
【０００４】前記特許文献１のように支柱構造は、耐風性を高める上で極めて有効ではあるが、強風が長時間続いた場合や、風速が強い場合には不十分であり、損傷は免れない。本発明の技術的課題は、このような問題に着目し、簡易構造で安価なパイプハウスの特性を生かしながら、耐風性を効果的に向上可能とすることにある。
【課題を解決するための手段】
【０００５】本発明の技術的課題は次のような手段によって解決される。請求項１は、パイプハウスの側面において、一定ピッチで骨組用の支柱を地中に立てておき、少なくとも妻面側の端部支柱は、前記の支柱ピッチの１／３以下の狭い支柱ピッチにすると共に、地中において支柱下端同士を水平板で互いに連結してあることを特徴とする耐風性パイプハウスである。このように、一定ピッチで側面支柱を地中に立てておき、少なくとも妻面側の端部支柱は、前記の支柱ピッチの１／３以下の狭い支柱ピッチにしてあるため、最も強大な風圧を受ける、妻面側の支柱を強化できる。しかも、この端部支柱と隣接支柱の下端同士を地中において水平板で互いに連結してあるため、下端同士が互いに連結されて一体構造となり、強度がさらに向上する。また、この連結手段が水平板であり、地中に埋められた状態では、支柱の抜け止めとして機能するので、一層強固の支柱構造となる。【０００６】請求項２は、妻面側の支柱のうち、少なくとも側面寄りの支柱の下端と、側面側の支柱のうち妻面に面する支柱の下端とを、地中において水平板で互いに連結してあることを特徴とする請求項１に記載の耐風性パイプハウスである。このように、妻面側の支柱のうち、少なくとも側面寄りの支柱の下端と、妻面側の側面支柱の下端とが、地中において水平板で互いに連結してあるため、妻面側の支柱も強化されると共に、角部の端部支柱の下端は、９０度の間隔をおいて２本の支柱の下端に連結されているので、一層堅牢な支柱構造となる。【０００７】請求項３は、前記のパイプハウスにおいて、少なくとも峰部と前記の側面の支柱の地上部の根元側との間にワイヤーを張設できるように、前記の峰部と側面支柱の根元側にワイヤーの連結手段を設けてあることを特徴とする請求項１または請求項２に記載の耐風性パイプハウスである。このように、前記の側面支柱の地上部の根元側と峰部との間にワイヤーを張設できるように、峰部と側面支柱の根元側にワイヤーの連結手段を設けてある。このように予め連結手段を用意してあるため、台風が接近して来たら、峰部と側面支柱の根元側の連結手段にワイヤーを連結して、ターンバックルでワイヤーを締めつけるだけで、最も強度の弱い屋根部が風圧で押し潰されたりするのを防止できる。【０００８】請求項４は、前記のパイプハウスの峰部の高さを３ｍ未満にしてあることを特徴とする請求項１、請求項２または請求項３に記載の耐風性パイプハウスである。このように、パイプハウスの峰部の高さを３ｍ未満にしてあるため、通常の峰高３ｍ以上のパイプハウスに比べて、風当たりが弱くなり、前記のように側面と妻面との角部の支柱を強化したり、峰部と側面支柱根元間にワイヤーを張設することと相まって、耐風性を一層強化できる。【０００９】請求項５は、施設園芸などに適するパイプハウスにおいて、台風などの強風が襲来する際は、少なくとも峰部と側面支柱の根元側との間にワイヤーを張設して補強しておき、強風が去ったら、ハウス内における作業の邪魔にならないように、前記の補強ワイヤーを退避させることを特徴とする耐風性パイプハウスにおける強風対策方法である。請求項３に記載のように、峰部と側面支柱の根元側にワイヤー連結手段を予め装備してあるため、台風などが接近して来た際は、峰部と側面支柱の根元側との間にワイヤーを張設することにより、強風に最も弱い屋根部を短期間に効果的に補強できる。ワイヤーは着脱式であるため、強風が去ったら、ハウス内における作業の邪魔にならないように、補強ワイヤーを連結手段から外して、邪魔にならないように退避させておくだけでよい。
【発明の効果】
【００１０】請求項１のように、一定ピッチで側面支柱を地中に立てておき、少なくとも妻面側の端部支柱は、前記の支柱ピッチの１／３以下の狭い支柱ピッチにしてあるため、最も強大な風圧を受ける、妻面側の支柱を強化できる。しかも、この端部支柱と隣接支柱の下端同士を地中において水平板で互いに連結してあるため、下端同士が互いに連結されて一体構造となり、強度がさらに向上する。また、この連結手段が水平板であり、地中に埋められた状態では、支柱の抜け止めとして機能するので、一層強固の支柱構造となる。【００１１】請求項２のように、妻面側の支柱のうち、少なくとも側面寄りの支柱の下端と、妻面側の側面支柱の下端とが、地中において水平板で互いに連結してあるため、妻面側の支柱も強化されると共に、角部の端部支柱の下端は、９０度の間隔をおいて２本の支柱の下端に連結されているので、一層堅牢な支柱構造となる。【００１２】請求項３のように、前記の側面支柱の地上部の根元側と峰部との間にワイヤーを張設できるように、峰部と側面支柱の根元側にワイヤーの連結手段を設けてある。このように予め連結手段を用意してあるため、台風が接近して来たら、峰部と側面支柱の根元側の連結手段にワイヤーを連結して、ターンバックルでワイヤーを締めつけるだけで、最も強度の弱い屋根部が風圧で押し潰されたりするのを防止できる。【００１３】請求項４のように、パイプハウスの峰部の高さを３ｍ未満にしてあるため、通常の峰高３ｍ以上のパイプハウスに比べて、風当たりが弱くなり、前記のように側面と妻面との角部の支柱を強化したり、峰部と側面支柱根元間にワイヤーを張設することと相まって、耐風性を一層強化できる。【００１４】前記のように、峰部と側面支柱の根元側にワイヤー連結手段を予め装備してあるため、台風などが接近して来た際は、請求項５のように、峰部と側面支柱の根元側との間にワイヤーを張設することにより、強風に最も弱い屋根部を短期間に効果的に補強できる。ワイヤーは着脱式であるため、強風が去ったら、ハウス内における作業の邪魔にならないように、補強ワイヤーを連結手段から外して、邪魔にならないように退避させておくだけでよい。
【発明を実施するための最良の形態】
【００１５】次に本発明による耐風性パイプハウスが実際上どのように具体化されるか実施形態を説明する。図１は本発明による耐風性パイプハウスの全容を示す斜視図である。この図は、防虫ネットやビニールシートなどを被せてない、骨組のみの状態である。左側の側面Ａと右側の側面Ｂとの間において、アーチ状の屋根部１が形成されている。左右の側面Ａ、Ｂには、複数のパイプ製の側面支柱２…が立ててあり、それぞれ地中に挿入して立ててある。そして、左右の両側面の支柱２・２の上端に間アーチ状のパイプ３を連結してある。各支柱２…およびアーチ状パイプ３…には、水平方向に横パイプＰ１、Ｐ２、Ｐ３、Ｐ４を連結固定してある。なお、Ｐ１は下部横パイプ、Ｐ２は肩部横パイプ、Ｐ３は中部横パイプ、Ｐ４は棟パイプまたは峰部横パイプである。【００１６】手前側の妻面Ｃと後側の妻面Ｄも、複数の妻面支柱４…を地中に挿入して立ててあり、それぞれの妻面支柱４…の上端は、妻面側のアーチ状パイプ３と連結されている。そして、各妻面支柱４…にも、横パイプＰ５を連結固定してある。なお、妻面側に出入り用の開閉扉が配置されるが、図示を省略してある。以上のような骨組構造において、ビニペット（商標）と呼ばれる取付け手段を用いて、骨組全面に防虫ネットを被せると共に、その上にビニールシートを被せて固定される。【００１７】各側面支柱２…および妻面支柱４…は、図２、図３のような構造になっている。図２は、支柱２、４の斜視図と平面図である。支柱２、４は通常は金属製のパイプからなり、その下端に、支柱２、４とほぼ直角に水平板７を溶接などの手段で固定してある。支柱２、４が直径５ｃｍ程度とすると、水平板７の１辺は支柱２、４の直径の約３倍の１５ｃｍ程度が適している。支柱２、４には、地中に埋設する部分の側面に、半径方向に立てて溶接固定した羽根板８を有している。この羽根板８は、図示のように、１８０度間隔に２枚固定してもよいし、９０度間隔に４枚固定して十字状に設けてもよく、あるいは１枚のみでも可能である。図示のように、１８０度間隔に設ける場合は、支柱２、４の下端寄りに１８０度間隔にスリットを形成し、その中に１枚の鉄板を挿入して、溶接固定してもよい。【００１８】そして、各羽根板８、８の下端は、前記の水平板７の上面に連結固定してある。すなわち、連結部９において、互いに溶接固定されている。羽根板１、８の直径方向の寸法は、前記の水平板７の１辺の寸法と同程度がよい。羽根板８、水平板７および支柱２、４の肉厚は、特に限定しないが、数ｍｍ程度が適している。なお、水平板７の中央に、支柱２、４内に通じる孔を開けて、支柱２、４内の雨水が地中に抜けるようにしてある。【００１９】この支柱２、４の使用に際しては、図３のように、水平板７および羽根板８、８の部分を地中に挿入して埋める。すなわち、地中に、水平板７および羽根板８、８の部分が入る程度のサイズの縦孔を掘り、その中に支柱２、４の水平板７および羽根板８、８の部分を挿入し、支柱２、４を立ててから、水平板７および羽根板８、８の上に土砂を埋め戻す。水平板７の上に石などを埋め込んで加圧してもよい。【００２０】こうして、支柱２、４の下端の水平板７および側面の羽根板８、８の部分を地中に掘った縦孔に挿入し埋め込むと、水平板７が抜け止めや沈下防止として作用するので、支柱２、４が容易に抜けたり沈下するようなことはない。また、支柱２、４の揺れも抑制できる。特に、羽根板８、８が付いているため、羽根板８、８の面に対し垂直方向の外力に対しては、支柱２、４の揺れを効果的に抑制できる。なお、羽根板８、８は、支柱２、４の回転防止にもなる。このように、水平板７と羽根板８を有する簡単な構造の支柱２、４を地中に埋め込むだけで台風などによる支柱２、４の揺れや抜け、沈下を抑制できるので、パイプハウスの側面支柱２や妻面支柱４の固定構造として極めて有効である。【００２１】図１における側面支柱２…と妻面支柱４…は、例えば２．４ｍピッチで立てられているが、妻面Ｃ側と両側面Ａ・Ｂ側との角の部分の支柱２４と、この角部支柱２４に隣接する側面支柱２ａと妻面支柱４ａは、図４のような構造になっている。この角部支柱２４と隣接する側面支柱２間のピッチは、前記の側面支柱２…のピッチ２．４ｍに対し、０．６ｍに設定し、妻面側のみ狭くしてある。しかも、前記の支柱下端の水平板７・７同士が、水平の連結板７ａでブリッジ状に連結されている。なお、水平板７・７ａ・７は、一体の１枚板であってもよいし、図２、図３のような正方形状の水平板７・７間を、別体の水平の板７ａを溶接し連結してもよい。また、この水平連結板７ａの上に、鉛直鉄板１０を立てて、溶接してあり、この鉛直鉄板１０は、隣接する角部支柱２４と側面支柱２の側面とも溶接固定されている。【００２２】このように、角部支柱２４と妻面支柱２とが、水平連結板７ａおよび鉛直鉄板１０で連結された状態で、地中に掘った溝中に挿入して埋め込むため、地中で互いに連結されていることによって、強風に対する揺れや抜け、その他の方向の強度が堅牢になる。なお、角部支柱２４と隣接する側面支柱２間のピッチｐは、前記の側面支柱２…間のピッチＰの１／３以下程度の狭い支柱ピッチにすることが望ましい。【００２３】妻面Ｃ、Ｄ側における支柱４…のピッチｉは、図示例では１ｍであるが、角部支柱２４に隣接する支柱４とのピッチのみを、他の支柱ピッチ１ｍより狭くしてもよいが、当初から１ｍだけであって、狭くなっているので、必ずしも狭くする必要はない。そして、妻面側の隣接支柱４と角部支柱２４との間も、下端の水平板７・７間を水平の連結板７ｂでブリッジ状に連結されている。しかも、この水平連結板７ｂの上に、鉛直鉄板１１を立てて溶接してあり、この鉛直鉄板１１は、隣接する角部支柱２４と妻面支柱４の側面とも溶接固定されている。したがって、角部支柱２４と隣接する妻面側支柱４も耐風性が向上するだけでなく、角部支柱２４は、妻面支柱４とも側面支柱２とも水平連結７ｂ、７ａで連結されているので、各方向の風圧に対する強度が一層向上する。【００２４】鉛直鉄板１０、１１は、圧縮方向に弱いため、座屈を避けるべく、鉛直鉄板１０、１１の上端付近の位置において、支柱２、４と同様のパイプで連結してもよい。前記の羽根板８、８の高さは例えば６０ｃｍであり、羽根板８、８の上端が地中約１５ｃｍ程度の深さに位置するように、地中に埋め込まれる。地表面Ｌの位置において、側面支柱２と妻面支柱４との間に、鎖線１２方向の連結パイプを設けて互いに斜め方向にも連結すると、各支柱２、４、２４の耐風性は格段と向上する。なお、この斜め方向の連結パイプは、前記の羽根板８、８の高さに設けると、地中約１５ｃｍの深さに埋まることになるので、斜めの補強パイプが邪魔になることもない。【００２５】図１や図５の支柱２…は、１本の連続体になっているが、図２、図３のように、肩部側の側面支柱とは別体の埋め込み用のパイプに水平の底板１４や羽根板１８を設けておき、図２、図３のように地中に埋設してから、地上の部分に肩部側の側面支柱を挿入して、横孔２０にボルトを挿通して連結するのがよい。側面支柱２以外のパイプなども、運搬や取り扱いの困難な長尺材は避け、短小なパイプを連結して、図１のようなパイプハウスに組み立てるのがよい。連結する部位は任意である。また、図４における鉛直鉄板１０に代えて、パンチングメタルや金網などを用いることもできる。鉄筋を格子状に構成してもよい。【００２６】図５は、図１のハウスにおけるＸ−Ｘ方向の断面図であり、左右両側面の支柱２、２の上端間にアーチ状パイプ３を連結してある。通常のハウスは、側面支柱２、２の上端間に梁パイプを渡して補強してあるが、本発明の場合は、このような補強パイプは設けてない。したがって、耐風性に劣ることになるが、強風が到来する場合は、ワイヤーを張設して補強するので、特に問題は生じない。アーチ状パイプ３の峰部には、ワイヤー取付け用の連結リング１３を溶接固定してある。また、左側の側面支柱２の下部すなわち根元部に連結リング１４を溶接固定し、右側の側面支柱２の下部すなわち根元部に連結リング１５を溶接固定してある。なお、必要に応じて、肩部Ｓにおいても、連結リング１６、１７を溶接固定しておいてもよい。【００２７】このように側面支柱２…やアーチパイプ３側に、予め連結リングを設けてあるため、台風が接近して来た場合は、これらの連結リングを利用してワイヤーＷ１…Ｗ３を張設することができる。すなわち、左側の側面支柱２の下部の連結リング１４と峰部の連結リング１３との間にワイヤーＷ１を張設して、ターンバックルで締めつける。また、右側の側面支柱２の下部の連結リング１５と峰部の連結リング１３との間にワイヤーＷ２を張設して、ターンバックルで締めつける。このようにして、図１のように、全ての側面支柱２…と峰部間にワイヤーＷ１、Ｗ２を張設しておくため、台風が到来して、屋根部に強風が作用しても、屋根部が押しつぶされるのを防止できる。すなわち、アーチ状パイプ３と側面支柱２間に渡って風圧が作用して押し拡げられる方向の力が作用しても、ワイヤーＷ１、Ｗ２によって阻止されるため、屋根が押しつぶされるのを防止できる。なお、必要に応じて、左右の肩部の連結リング１６と１７間にワイヤーＷ３を張設して、ターンバックルで締めつけておけば、真上からの風圧に対しての抵抗として作用する。なお、ワイヤーＷ１、Ｗ２、Ｗ３は、ハウス内における作業の邪魔になるので、台風が去ったら、連結リング１３〜１７から各ワイヤーＷ１〜Ｗ３を取り外し、あるいは緩めて、ワイヤーＷ１〜Ｗ３が邪魔にならないように片づけたり、近くの骨組に縛りつけておく。【００２８】図１に示すように、隣接する支柱２またはアーチパイプ３間にもワイヤーＷ４、Ｗ５を張ると、より有効である。ワイヤーＷ４は、前記の峰部連結リング１３と隣接する肩部連結リング１６、１７間に張設してある。したがって、図５から明らかなように、このワイヤーＷ４は、強風で屋根が押しつぶされるのを防ぐためではなく、隣接するアーチパイプ３…間の補強が目的である。図５に示すように、アーチパイプ３の中部横パイプＰ３の位置にも、ワイヤー連結リング１８、１９を溶接固定してある。そして、図１のように、この中部連結リング１８、１９と隣接する肩部連結リング１６、１７との間にワイヤーＷ５を張設してある。このワイヤーＷ５…とＷ４…は、隣接する峰部連結リング１３、中部連結リング１８、１９、肩部連結リング１６、１７間の全てに張設するので、隣接するアーチパイプ３…や側面支柱２…間に対し、引っ張り方向だけでなく、圧縮方向の補強として作用する。これらのワイヤーＷ４、Ｗ５は、ハウス内における作業の邪魔にはならないので、台風時以外も常時張設したままにしておいてもよい。なお、妻面においても、あるいはハウス内部においても、例えば下部連結リング１４と対向する中部連結リング１９間、下部連結リング１５と対向する中部連結リング１８間に、Ｘ字状にワイヤーを張設すると、より効果的である。【００２９】図１のように、隣接する側面支柱２…間には、必要に応じて、支柱根元部と隣接する肩部間にワイヤーＷ６を張設してＸ字状に交差させることもできる。なお、このワイヤーＷ６に代えて、斜交い用のパイプを設けてもよい。妻面側の角部支柱２４の肩部と隣接する支柱２の下部間には斜交い２０を取付けて、妻面側からの圧縮方向の風圧に備えている。なお、図１のようなアーチ状屋根構造の場合は、原則として、左右の両側面側は、全て左右対称構造とする。
【産業上の利用可能性】
【００３０】
【００３１】以上のように、本発明の耐風性パイプハウスによると、妻面側のみ側面支柱ピッチを狭くすると共に支柱下端を側面支柱や妻面支柱と地中で連結して補強したり、台風襲来時のみワイヤーを張設して台風対策を行ない、台風が去ったら取り外して、ハウス内の作業の邪魔にならないようにしているで、安価な簡易構造のパイプハウスにおける強風対策として極めて合理的であり、ハウス内における生産作業に支障を来すこともない。したがって、強風対策が完備したパイプハウスとして、普及が期待される。
【図面の簡単な説明】
【００３２】
【図１】本発明による耐風性パイプハウスの全容を示す斜視図である。
【図２】支柱の詳細であり、（１）は斜視図、（２）は平面図である。
【図３】支柱下端を地中に埋設した状態の側面図である。
【図４】地中における角部支柱と隣接支柱との関係を示す斜視図である。
【図５】図１のハウスにおけるＸ−Ｘ方向の断面図である。
【符号の説明】
【００３３】１  屋根部
２  側面支柱
３  アーチ状パイプ
４  妻面支柱
Ｐ１、Ｐ２、Ｐ３、Ｐ４  横パイプ
７  水平板
７ａ・７ｂ  水平連結板
８  羽根板
１３〜１９  ワイヤー連結リング
Ｗ１〜Ｗ６  ワイヤー
【図１】
2005287477.tif 000003
【図２】
2005287477.tif 000004
【図３】
2005287477.tif 000005
【図４】
2005287477.tif 000006
【図５】
2005287477.tif 000007